(57)【要約】【課題】  ホストと印刷装置がネットワークで接続されている印刷システムにおいて、ＰＤＬを用いたセキュリティ印刷を行う場合に、セキュアジョブが印刷装置にスプールされたままの状態で放置されることを防ぐ。【解決手段】  （１）ホストが印刷ジョブを印刷装置に送信後、印刷処理を行うまでの間、ホストに接続されたディスプレイ上に印刷ジョブが印刷装置に送信されている状態を示すポップアップ表示する。セキュリティ印刷時には、印刷処理が終了するまでポップアップ表示を続ける。  （２）更に、記憶装置に格納された印刷ジョブが自動的に消去されるまでの時間、ポップアップ表示を続ける。【選択図】  図１
2006344024.tif 000002
【特許請求の範囲】
【請求項１】
ホストが、印刷ジョブを印刷装置にネットワークを介して送信し、印刷装置が、印刷ジョブに従って印刷処理を行う印刷システムにおいて、
ホストが、印刷ジョブを印刷装置に送信する状態になった時に、ホストに接続されたディスプレイ装置上に、印刷装置へ印刷ジョブを送信した状態にあることを示すポップアップ表示を行う手段と、印刷装置の印刷処理が終了したことを検知する手段と、印刷装置の印刷処理が終了した時に、ホストに接続されたディスプレイ装置上に表示されていたポップアップ表示を変える手段と、
を有することを特徴とする印刷システム。
【請求項２】
請求項１に記載の印刷システムにおいて、ホストが、印刷ジョブの種類に応じて、印刷装置へ印刷ジョブを送信した際にポップアップ表示を行うかどうかを自動的に決定する手段を有することを特徴とする印刷システム。
【請求項３】
請求項２に記載の印刷システムにおいて、ホストが、印刷ジョブの種類に応じて、印刷装置へ印刷ジョブを送信した際にポップアップ表示を行うかどうかを自動的に決定する方法として、通常印刷ジョブの場合はポップアップ表示を行わないこととし、印刷装置における印刷処理時に個人認証が必要なセキュア印刷ジョブの場合はポップアップ表示を行うことを特徴とする印刷システム。
【請求項４】
請求項１に記載の印刷システムにおいて、ホストが印刷装置の印刷処理が終了したことを検知する方法として、ホストが、処理状態の問い合わせを行う為の信号を印刷装置にネットワークを介して任意のタイミングで送信し、印刷装置が、ホストからの問い合わせ信号を受け、印刷処理終了状態かを示す信号をホストにネットワークを介して送信することを特徴とする印刷システム。
【請求項５】
請求項１に記載の印刷システムにおいて、ホストが印刷装置の印刷処理が終了したことを検知する方法として、印刷装置が、印刷処理を終了したタイミングで印刷処理終了状態を示す信号をホストにネットワークを介して送信することを特徴とする印刷システム。
【請求項６】
請求項１に記載の印刷システムにおいて、ホストが、ホストに接続されたディスプレイ装置上に表示されていたポップアップ表示を変える方法として、ポップアップ表示を消去することを特徴とする印刷システム。
【請求項７】
請求項１に記載の印刷システムにおいて、印刷装置が印刷ジョブを記憶装置に格納する手段と、ユーザが印刷装置の操作パネルで印刷処理を指示することで印刷装置が記憶装置に格納されている印刷ジョブの印刷処理を行う手段と、印刷処理が正常に終了したタイミングで印刷装置が記憶装置に格納されている本印刷処理の印刷ジョブを消去する手段、
を有することを特徴とする印刷システム。
【請求項８】
請求項７に記載の印刷システムにおいて、ユーザが印刷装置の操作パネルで印刷処理を指示する際に、印刷装置がユーザに対して個人認証を行わせる個人認証手段を有することを特徴とする印刷システム。
【請求項９】
請求項７に記載の印刷システムにおいて、印刷装置が、印刷ジョブを記憶装置に格納してから一定時間経過後に印刷ジョブを記憶装置上から消去する手段を有することを特徴とする印刷システム。
【請求項１０】
請求項９に記載の印刷システムにおいて、ホストが、印刷装置が印刷ジョブを記憶装置上から消去するまでの時間を取得する手段と、印刷装置が記憶装置上から印刷ジョブを消去するまでの時間に応じて、ホストに接続されたディスプレイ装置上に表示されていたポップアップ表示を変える手段と、
を有することを特徴とする印刷システム。
【請求項１１】
請求項１０に記載の印刷システムにおいて、ホストが、印刷装置が印刷ジョブを記憶装置上から消去するまでの時間を取得する方法として、ホストが、印刷ジョブ消去時間の問い合わせを行う為の信号を印刷装置にネットワークを介して任意のタイミングで送信し、印刷装置が、ホストからの問い合わせ信号を受け、印刷ジョブ消去時間を示す信号をホストにネットワークを介して送信することを特徴とする印刷システム。
【請求項１２】
請求項１０に記載の印刷システムにおいて、ホストが、印刷装置が印刷ジョブを記憶装置上から消去するまでの時間を取得する方法として、印刷装置が、任意の間隔で印刷ジョブ消去時間を示す信号をホストにネットワークを介して送信することを特徴とする印刷システム。
【請求項１３】
請求項１０に記載の印刷システムにおいて、ホストが、印刷装置が記憶装置上から印刷ジョブを消去するまでの時間に応じて、ホストに接続されたディスプレイ装置上に表示されていたポップアップ表示を変える方法として、印刷ジョブが消去されるまでの時間若しくは残り時間をポップアップ表示することを特徴とする印刷システム。
【請求項１４】
請求項１０に記載の印刷システムにおいて、ホストが、印刷装置が印刷ジョブを記憶装置上から消去した状態を検知する手段と、印刷ジョブが記憶装置から消去された時に、ホストに接続されたディスプレイ装置上に表示されていたポップアップ表示を変える手段と、
を有することを特徴とする印刷システム。
【請求項１５】
請求項１４に記載の印刷システムにおいて、ホストが、印刷装置が印刷ジョブを記憶装置上から消去した状態を検知する方法として、ホストが、印刷ジョブが消去されたかどうか問い合わせを行う為の信号を印刷装置にネットワークを介して任意のタイミングで送信し、印刷装置が、ホストからの問い合わせ信号を受け、印刷ジョブが消去されたかどうかを示す信号をホストにネットワークを介して送信することを特徴とする印刷システム。
【請求項１６】
請求項１４に記載の印刷システムにおいて、ホストが、印刷装置が印刷ジョブを記憶装置上から消去した状態を検知する方法として、印刷装置が、印刷ジョブを記憶装置上から消去したタイミングで印刷ジョブを消去したかどうかを示す信号をホストにネットワークを介して送信することを特徴とする印刷システム。
【請求項１７】
請求項１４に記載の印刷システムにおいて、ホストが、印刷ジョブが記憶装置から消去された時に、ホストに接続されたディスプレイ装置上に表示されていたポップアップ表示を変える方法として、印刷ジョブが記憶装置上から消去された旨をポップアップ表示し、一定時間後若しくはユーザの確認後ポップアップ表示を消去することを特徴とする印刷システム。
【請求項１８】
請求項７に記載の印刷システムにおいて、予期せぬタイミングでポップアップ表示処理が中断された場合に、ホストが、記憶装置上に格納された印刷ジョブ消去を指示する信号を印刷装置へネットワークを介し送信する手段と、印刷装置が、ホストからのジョブ消去を指示する信号を受けて記憶装置上から印刷ジョブを消去する手段と、
を有することを特徴とする印刷システム。
【発明の詳細な説明】
【技術分野】
【０００１】
本発明は、ホストが印刷ジョブを印刷装置にネットワークを介して送信し、印刷装置が印刷ジョブに従って印刷処理を行う印刷システムに関係し、ユーザがセキュア印刷を行いたいと欲する場合に、印刷装置が印刷ジョブを記憶装置に格納し、印刷処理の際にはユーザに個人認証を行わせ、セキュア印刷処理を実行する印刷システムに特に関係する。
【背景技術】
【０００２】
セキュア印刷を行う場合、印刷装置が印刷ジョブを記憶装置に格納することが多いが、ユーザが印刷ジョブを記憶装置に格納させたまま忘れてしまうことがあった。この問題点を改善する為に、従来、記憶装置に格納された印刷ジョブをある程度の時間が経過した後に消す手法などが生み出され、印刷ジョブを時間の経過を以って消去する場合に印刷装置がホストに削除要求情報を送信することなども行われている。
【０００３】
又、別の従来例としては、特許文献１及び特許文献２をあげることが出来る。
【特許文献１】特開2001-134560号公報
【特許文献２】特開平08-305520号公報
【発明の開示】
【発明が解決しようとする課題】
【０００４】
しかしながら、従来の手法では印刷ジョブに関する情報はユーザが何らかの操作を行わない限り把握できず、印刷ジョブが消去されるまでの時間のセキュア印刷実行はユーザの意識まかせであり、依然として印刷ジョブを記憶装置に格納したままの状況を改善するには至っていない。より高いセキュリティを実現する為にはユーザが記憶装置に印刷ジョブを格納したまま忘れる事態を最小限にとどめる必要があり、ユーザが印刷ジョブを記憶装置に格納させたまま忘れないような仕組み作りが課題となっている。
【課題を解決するための手段】
【０００５】
上記目的を達成する本出願に関わる第１の発明の印刷システムは以下に示す構成を備える。
【０００６】
ホストが、印刷ジョブを印刷装置にネットワークを介して送信し、印刷装置が、印刷ジョブに従って印刷処理を行う印刷システムにおいて、ホストが、印刷ジョブを印刷装置に送信する状態になった時に、ホストに接続されたディスプレイ装置上に、印刷装置へ印刷ジョブを送信した状態にあることを示すポップアップ表示を行う手段と、印刷装置の印刷処理が終了したことを検知する手段と、印刷装置の印刷処理が終了した時に、ホストに接続されたディスプレイ装置上に表示されていたポップアップ表示を変える手段を備える。
【０００７】
又、上記目的を達成する本出願に関わる第２の発明の印刷システムは以下に示す構成を備える。
【０００８】
第１の発明の印刷システムにおいて、ホストが、印刷ジョブの種類に応じて、印刷装置へ印刷ジョブを送信した際にポップアップ表示を行うかどうかを自動的に決定する手段を備える。
【０００９】
又、上記目的を達成する本出願に関わる第３の発明の印刷システムは以下に示す構成を備える。
【００１０】
第２の発明の印刷システムにおいて、ホストが、印刷ジョブの種類に応じて、印刷装置へ印刷ジョブを送信した際にポップアップ表示を行うかどうかを自動的に決定する方法として、通常印刷ジョブの場合はポップアップ表示を行わない方法、印刷装置における印刷処理時に個人認証が必要なセキュア印刷ジョブの場合はポップアップ表示を行う方法を備える。
【００１１】
又、上記目的を達成する本出願に関わる第４の発明の印刷システムは以下に示す構成を備える。
【００１２】
第１の発明の印刷システムにおいて、ホストが印刷装置の印刷処理が終了したことを検知する方法として、ホストが、処理状態の問い合わせを行う為の信号を印刷装置にネットワークを介して任意のタイミングで送信し、印刷装置が、ホストからの問い合わせ信号を受け、印刷処理終了状態かを示す信号をホストにネットワークを介して送信する方法を備える。
【００１３】
又、上記目的を達成する本出願に関わる第５の発明の印刷システムは以下に示す構成を備える。
【００１４】
第１の発明の印刷システムにおいて、ホストが印刷装置の印刷処理が終了したことを検知する方法として、印刷装置が、印刷処理を終了したタイミングで印刷処理終了状態を示す信号をホストにネットワークを介して送信する方法を備える。
【００１５】
又、上記目的を達成する本出願に関わる第６の発明の印刷システムは以下に示す構成を備える。
【００１６】
第１の発明の印刷システムにおいて、ホストが、ホストに接続されたディスプレイ装置上に表示されていたポップアップ表示を変える方法として、ポップアップ表示を消去する方法を備える。
【００１７】
又、上記目的を達成する本出願に関わる第７の発明の印刷システムは以下に示す構成を備える。
【００１８】
第１の発明の印刷システムにおいて、印刷装置が印刷ジョブを記憶装置に格納する手段と、ユーザが印刷装置の操作パネルで印刷処理を指示することで印刷装置が記憶装置に格納されている印刷ジョブの印刷処理を行う手段と、印刷処理が正常に終了したタイミングで印刷装置が記憶装置に格納されている本印刷処理の印刷ジョブを消去する手段を備える。
【００１９】
又、上記目的を達成する本出願に関わる第８の発明の印刷システムは以下に示す構成を備える。
【００２０】
第７の発明の印刷システムにおいて、ユーザが印刷装置の操作パネルで印刷処理を指示する際に、印刷装置がユーザに対して個人認証を行わせる個人認証手段を備える。
【００２１】
又、上記目的を達成する本出願に関わる第９の発明の印刷システムは以下に示す構成を備える。
【００２２】
第７の発明の印刷システムにおいて、印刷装置が、印刷ジョブを記憶装置に格納してから一定時間経過後に印刷ジョブを記憶装置上から消去する手段を備える。
【００２３】
又、上記目的を達成する本出願に関わる第１０の発明の印刷システムは以下に示す構成を備える。
【００２４】
第９の発明の印刷システムにおいて、ホストが、印刷装置が印刷ジョブを記憶装置上から消去するまでの時間を取得する手段と、印刷装置が記憶装置上から印刷ジョブを消去するまでの時間に応じて、ホストに接続されたディスプレイ装置上に表示されていたポップアップ表示を変える手段を備える。
【００２５】
又、上記目的を達成する本出願に関わる第１１の発明の印刷システムは以下に示す構成を備える。
【００２６】
第１０の発明の印刷システムにおいて、ホストが、印刷装置が印刷ジョブを記憶装置上から消去するまでの時間を取得する方法として、ホストが、印刷ジョブ消去時間の問い合わせを行う為の信号を印刷装置にネットワークを介して任意のタイミングで送信し、印刷装置が、ホストからの問い合わせ信号を受け、印刷ジョブ消去時間を示す信号をホストにネットワークを介して送信する方法を備える。
【００２７】
又、上記目的を達成する本出願に関わる第１２の発明の印刷システムは以下に示す構成を備える。
【００２８】
第１０の発明の印刷システムにおいて、ホストが、印刷装置が印刷ジョブを記憶装置上から消去するまでの時間を取得する方法として、印刷装置が、任意の間隔で印刷ジョブ消去時間を示す信号をホストにネットワークを介して送信する方法を備える。
【００２９】
又、上記目的を達成する本出願に関わる第１３の発明の印刷システムは以下に示す構成を備える。
【００３０】
第１０の発明の印刷システムにおいて、ホストが、印刷装置が記憶装置上から印刷ジョブを消去するまでの時間に応じて、ホストに接続されたディスプレイ装置上に表示されていたポップアップ表示を変える方法として、印刷ジョブが消去されるまでの時間若しくは残り時間をポップアップ表示する方法を備える。
【００３１】
又、上記目的を達成する本出願に関わる第１４の発明の印刷システムは以下に示す構成を備える。
【００３２】
第１０の発明の印刷システムにおいて、ホストが、印刷装置が印刷ジョブを記憶装置上から消去した状態を検知する手段と、印刷ジョブが記憶装置から消去された時に、ホストに接続されたディスプレイ装置上に表示されていたポップアップ表示を変える手段を備える。
【００３３】
又、上記目的を達成する本出願に関わる第１５の発明の印刷システムは以下に示す構成を備える。
【００３４】
第１４の発明の印刷システムにおいて、ホストが、印刷装置が印刷ジョブを記憶装置上から消去した状態を検知する方法として、ホストが、印刷ジョブが消去されたかどうか問い合わせを行う為の信号を印刷装置にネットワークを介して任意のタイミングで送信し、印刷装置が、ホストからの問い合わせ信号を受け、印刷ジョブが消去されたかどうかを示す信号をホストにネットワークを介して送信する方法を備える。
【００３５】
又、上記目的を達成する本出願に関わる第１６の発明の印刷システムは以下に示す構成を備える。
【００３６】
第１４の発明の印刷システムにおいて、ホストが、印刷装置が印刷ジョブを記憶装置上から消去した状態を検知する方法として、印刷装置が、印刷ジョブを記憶装置上から消去したタイミングで印刷ジョブを消去したかどうかを示す信号をホストにネットワークを介して送信する方法を備える。
【００３７】
又、上記目的を達成する本出願に関わる第１７の発明の印刷システムは以下に示す構成を備える。
【００３８】
第１４の発明の印刷システムにおいて、ホストが、印刷ジョブが記憶装置から消去された時に、ホストに接続されたディスプレイ装置上に表示されていたポップアップ表示を変える方法として、印刷ジョブが記憶装置上から消去された旨をポップアップ表示し、一定時間後若しくはユーザの確認後ポップアップ表示を消去する方法を備える。
【００３９】
又、上記目的を達成する本出願に関わる第１８の発明の印刷システムは以下に示す構成を備える。
【００４０】
第７の発明の印刷システムにおいて、予期せぬタイミングでポップアップ表示処理が中断された場合に、ホストが、記憶装置上に格納された印刷ジョブ消去を指示する信号を印刷装置へネットワークを介し送信する手段と、印刷装置が、ホストからのジョブ消去を指示する信号を受けて記憶装置上から印刷ジョブを消去する手段を備える。
【発明の効果】
【００４１】
以上述べたとおり、本出願に関わる第１から第１８の発明により、ホストが印刷ジョブを印刷装置に送信後、印刷処理を行うまでの間、ホストに接続されたディスプレイ上に印刷ジョブが印刷装置に送信されている状態を示すポップアップ表示がされる為、ユーザが印刷ジョブの処理状況を明確に把握できるという効果がある。又、セキュリティ印刷時には、印刷処理が終了するまでポップアップ表示がなされ、ユーザが印刷ジョブを記憶装置へ格納したまま忘れる問題点を改善できる。さらに、記憶装置に格納された印刷ジョブが自動的に消去されるまでの時間をポップアップ表示し、ポップアップが予期せぬ原因で消去された場合は記憶装置に格納された印刷ジョブもそれと同時に消される為、印刷ジョブの管理及びセキュリティの更なる向上が見込めるという効果がある。
【発明を実施するための最良の形態】
【００４２】
以下、本発明をマルチファンクションプリンター（以下、MFPと略す）に適用し、図面を用いて更に詳細に説明する。
【００４３】
＜MFPの概要＞
最初に図１を用いてMFPの概要を説明する。図１はMFPの概念を表す図であり、図中の１００〜１０６は各部位を示す。ユーザは、操作パネル１００を用いてMFPに対する操作を行う。MFPはネットワークを介してホストと接続することができ、給紙トレイ１０２〜１０５に印刷用紙をセットした状態で印刷ジョブをホストからMFPに対して送信することで、出力物を排紙トレイ１０６に得ることができる。１０１はスキャナであり、コピー作業を行う場合にはここに原稿を置き操作パネル１００からコピー処理の手続きを行うことで、排紙トレイ１０６からコピー出力物を得ることができる。
【００４４】
＜MFPを用いた印刷システムの一例＞
次に図２を用いてMFPを用いた印刷システムを説明する。図２はMFPを用いた印刷システムの一例を示す図であり、図中の２００〜２１３は各機能ブロックを示す。
【００４５】
最初にMFPの説明をする。パネル２００はユーザがMFPに対して操作を行い、パネル上に表示された情報を参照するための入出力インターフェースである。スキャナ２０１はユーザが文書を電子化させ、コピーや不揮発性記憶装置への格納を行う場合に使用する入力インターフェースである。CPU２０２と揮発性記憶装置２０３はMFPのコントローラを形成するものであり、CPU２０２はMFPが動作する上で必要な各種演算処理を行う装置であり、メモリ２０３にはMFPの制御プログラムや処理データが格納される。ネットワークI/F２０４はMFPと外部機器を、ネットワークを介して接続する為のインターフェースである。印刷エンジン２０５はMFPコントローラで形成された画像をインクやトナーを用いて紙に可視画像として記録させるための装置である。不揮発性記憶装置２０６はMFPの制御プログラムやセキュアジョブ等各種データを格納するためのものである。
【００４６】
次にホストの説明をする。ディスプレイ２０７はホストに於いて処理された情報の表示を行う為の出力装置であり、下記実施例のポップアップ表示は本装置にて行われる。ネットワークI/F２０８はホストとネットワークを接続するためのものであり、外部機器とのネットワークを介した通信を行うための入出力インターフェースである。不揮発性記憶装置２０９はサーバ上で動作させる各種プログラムや各種データを格納するためのものである。CPU２１０はサーバが動作する上で必要な各種演算処理を行う装置であり、メモリ２１１にはサーバの制御プログラムや処理データが格納される。
【００４７】
ネットワーク２１２は様々な機器を電気的に接続するための通信回線であり、ディスプレイケーブル２１３はホストとディスプレイを電気的に接続する為の回線である。
【実施例１】
【００４８】
まず、印刷処理の一環としてポップアップ表示を行う処理の概念を図３と図４を用いて説明する。
【００４９】
図３は本実施例に関わるホストの印刷処理を示すフロー図であり、図中の３−ａから３−ｆは各ステップを示す。図４は本実施例に関わるMFPの印刷処理を示すフロー図であり、図中の４−ａから４−ｅは各ステップを示す。
【００５０】
本実施例は、ホストが、印刷ジョブをMFPへ送信してからMFPが印刷処理を終了するまでの間ポップアップ表示を行う動作となっている。ホスト側の処理を、図３を用いて説明する。ステップ３−ａで印刷ジョブを生成し、ステップ３−ｂでMFPへ印刷ジョブを送信し、ステップ３−ｃで印刷ジョブを送信した旨をディスプレイ上にポップアップ表示し、ステップ３−ｄでMFPへ印刷処理が終わったかを問い合わせ、ステップ3−ｅで印刷処理が終了したかどうかを判別し、終了していればステップ３−ｆに進み、終了していなければステップ３−ｄに進む。ステップ３−ｆで印刷処理が終了したということでディスプレイ上のポップアップ表示を消去し、本処理を終了する。次にMFP側の処理を、図４を用いて説明する。本処理は並列処理（マルチスレッド）となっており、１つ目のスレッドではステップ４−ａで印刷処理を行う。２つ目のスレッドではステップ４−ｂでホストから印刷処理が終わったかどうかの問い合わせがあるかどうかを判定し、問い合わせがあった場合にはステップ４−ｃへ進み、問い合わせが無かった場合にはステップ４−ｂへ進む。ステップ４−ｃでスレッド１で行われている印刷処理が終了しているかを判別し、終了している場合にはステップ４−ｄへ進み、終了していない場合にはステップ４−ｅへ進む。ステップ４−ｄではホストへ印刷処理が終了した旨を送信し本処理を終了する。ステップ４−ｅではホストへ印刷処理が終了していない旨を送信しステップ４−ｂへ進む。
【００５１】
本フローを用いることで、ホストがMFPへ印刷ジョブを送信し、MFPが印刷処理を完了するまで、ホストに接続されたディスプレイ上にポップアップ表示がされることとなる。
【実施例２】
【００５２】
次に、セキュリティ印刷を行う印刷システムで効果的にポップアップ表示を行う処理の概念を、図５から図８を用いて説明する。
【００５３】
図５は本実施例に関わるホストの印刷処理を示すフロー図であり、図中の５−ａから５−ｏは各ステップを示す。図６は本実施例に関わるMFPの印刷ジョブを受けた際の処理を示すフロー図であり、図中の６−ａから６−ｃは各ステップを示す。図７は本実施例に関わるMFPのセキュア印刷処理を示すフロー図であり、図中のステップ７−ａから７−ｊは各ステップを示す。図８は本実施例に関わるホストに接続されたディスプレイ表示の一例を示す図であり、図中の８−ａから８−ｇは処理状態ごとの画面表示の例となっている。
【００５４】
本実施例では、ユーザがホスト上で通常印刷を行うか、セキュア印刷を行うかを選択し、ホストが印刷ジョブをMFPに送信する。ユーザがセキュア印刷を選択した場合は、ホストから送信された印刷ジョブは一端MFP内の不揮発性記憶装置に格納され、実際にセキュア印刷処理を行う際にユーザがMFPの操作パネルからログイン作業を行い、正常にログインできればセキュア印刷処理が実行され、ユーザはセキュア印刷の出力物を得ることが出来る。ホスト側の処理を図５と図８を用いて説明する。ステップ５−ａでユーザに印刷ジョブの種類を入力させる。この時の表示画面の一例が図８−ａである。ステップ５−ｂでジョブの種類が通常ジョブであればステップ５−ｃへ進み、セキュアジョブであればステップ５−ｅへ進む。ステップ５−ｃで通常印刷ジョブを生成し、ステップ５−ｄでMFPへ通常印刷ジョブを送信し、本処理を終了する。ステップ５−ｅでセキュアジョブを印刷し、ステップ５−ｆでMFPへセキュア印刷ジョブを送信し、ステップ５−ｇで印刷ジョブをMFPへ送信した旨をポップアップ表示する。この時の表示画面の一例が図８−ｂである。ステップ５−ｈでポップアップ表示が何らかの（本処理からしてみれば予期せぬ）手段で消されたかどうかを判別し、消されたのであればステップ５−ｐに進み、消されていなければステップ５−ｉへ進む。ステップ５−ｉでMFPから不揮発性記憶装置に格納された印刷ジョブを消去する迄の時間を受け取ったかを判別し、受け取ったのであればステップ５−ｊに進み、受け取っていなければステップ５−ｋに進む。ステップ５−ｊで不揮発性記憶装置に格納された印刷ジョブを消去する迄の時間をポップアップ表示する。この時の表示画面の一例が図８−ｃである。ステップ５−ｋでMFPからエラー情報を受け取ったかを判別し、受け取ったのであればステップ５−ｎに進み、受け取ってなければステップ５−ｌへ進む。ステップ５−ｌでMFPから印刷処理が終了した旨を受け取ったかを判別し、受け取ったのであればステップ５−ｍに進み、受け取ってなければステップ５−ｑへ進む。ステップ５−ｑで印刷ジョブを不揮発性記憶装置から消去するまでの時間が０であるかどうかを判別し、０であればステップ５−ｒに進み、０以外であればステップ５−ｈへ進む。ステップ５−ｒで不揮発性記憶装置に格納された印刷ジョブを消去する旨をポップアップ表示する。この時の表示画面の一例が図８−ｇである。その後本処理を終了する。ステップ５−ｎでエラー情報をポップアップ表示する。この時の表示画面の一例が図８−ｆである。ステップ５−ｏでユーザがポップアップ表示を確実に確認できるよう何らかの入力を即し、ステップ５−ｍに進む。ステップ５−ｍでセキュア印刷処理が実行された旨をポップアップ表示した後、ポップアップ表示を消去し、本処理を終了する。この時のポップアップ表示の一例が図８−ｄであり、ポップアップが消去された画面の一例が図８−ｅである。ステップ５−ｐでMFPへ不揮発性記憶装置に格納されている印刷ジョブ消去を指示し、本処理を終了する。次にMFP側の処理を図６と図７を用いて説明する。図６はMFPがホストから印刷ジョブを受け取った際の処理フローであり、ステップ６−ａで受け取ったジョブの種類を判別し、通常ジョブであればステップ６−ｂに進み、セキュアジョブであればステップ６−ｃへ進む。ステップ６−ｂで通常ジョブの印刷処理を行い本処理を終了する。ステップ６−ｃでセキュアジョブを不揮発性記憶装置へ格納し、ステップ６−ｄでセキュアジョブを格納した時間を不揮発性記憶装置へ格納し本処理を終了する。図７はユーザがMFPにログインすることで行うセキュリティ印刷処理のMFPが行う処理フローであり、ステップ７−ａでユーザにログイン情報を入力させ、ステップ７−ｂで個人認証が成功したかどうかを判別し、成功していたならばステップ７−ｃに進み、失敗していたならばステップ７−ｊへ進む。ステップ７−ｃで不揮発性記憶装置からセキュアジョブを格納した時間を読み出し、マルチスレッド処理に入る。スレッド１ではステップ７−ｄで印刷処理を行い、ステップ７−ｅで印刷処理が正常に終了したかどうかを判別し、正常であればステップ７−ｆに進み、異常であったならばステップ７−ｇへ進む。ステップ７−ｆでホストへ印刷処理終了を通知し、本処理を終了する。ステップ７−ｇでホストへ印刷処理失敗（エラー情報）を通知し、本処理を終了する。スレッド２ではステップ７−ｈでセキュアジョブ格納時間と現在時間からセキュアジョブを消去するまでの時間を算出し、ステップ７−ｉでホストへセキュアジョブを消去するまでの時間を送信する。ステップ７−ｊでホストへログイン失敗（エラー情報）を通知し、本処理を終了する。
【００５５】
本フローを用いることで、通常印刷の場合はポップアップ表示を行わず、セキュリティ印刷の場合はホストがMFPへ印刷ジョブを送信し、MFPが印刷処理を完了するまで、ホストに接続されたディスプレイ上にポップアップ表示がされることとなる。又、セキュアジョブが消去されるまでの時間を表示すること、ポップアップ表示が予期せぬ手段で消去された場合に不揮発性記憶装置へ格納したセキュアジョブを消去することが可能となる。
【図面の簡単な説明】
【００５６】
【図１】本実施例に関わるMFPの概念図。
【図２】本実施例に関わる印刷システムのブロック図。
【図３】実施例１に関わるホストの印刷処理を示すフロー図。
【図４】実施例１に関わるMFPの印刷処理を示すフロー図。
【図５】実施例２に関わるホストの印刷処理を示すフロー図。
【図６】実施例２に関わるMFPの印刷ジョブを受けた際の処理を示すフロー図。
【図７】実施例２に関わるMFPのセキュア印刷処理を示すフロー図。
【図８】実施例２に関わるホストに接続されたディスプレイ表示の一例を示す図。
【符号の説明】
【００５７】
１００  画面表示を兼ね備えた操作パネル
１０１  スキャナ
１０２  給紙トレイ
１０３  給紙トレイ
１０４  給紙トレイ
１０５  給紙トレイ
１０６  排紙トレイ
２００  画面表示を兼ね備えた操作パネル
２０１  スキャナ
２０２  中央演算装置（CPU）
２０３  揮発性記憶装置（メモリ）
２０４  ネットワークインターフェース
２０５  印刷エンジン
２０６  不揮発性記憶装置
２０７  ディスプレイ装置
２０８  ネットワークインターフェース
２０９  不揮発性記憶装置
２１０  中央演算装置（CPU）
２１１  揮発性記憶装置（メモリ）
２１２  ネットワークケーブル
２１３  ディスプレイケーブル
【図１】
2006344024.tif 000003
【図２】
2006344024.tif 000004
【図３】
2006344024.tif 000005
【図４】
2006344024.tif 000006
【図５】
2006344024.tif 000007
【図６】
2006344024.tif 000008
【図７】
2006344024.tif 000009
【図８】
2006344024.tif 000010